(57)【要約】【課題】ポールヘッドとアマチュアとの間から漏れる磁束を抑制可能な電磁引き外し装置及びそれを用いた回路遮断器を提供する。【解決手段】プランジャ２及び制動ばね３は、有底円筒状に形成されたシリンダ１の内側に配置されている。ポールヘッド４は、シリンダ１の開口部を塞いでいる。電磁コイル５は、シリンダ１に巻かれている。ヨーク６は、シリンダ１の軸方向に沿って配置された第１片６ａ及び第２片６ｂを有している。アマチュア７は、ポールヘッド４に接する第１位置とポールヘッド４から離れた第２位置との間で回転可能となるようにヨーク６に支持されている。磁気遮蔽片９は、第１片６ａに設けられてアマチュア７の側方に配置されている。アマチュア７は、側面視において磁気遮蔽片９からシリンダ１の軸方向に出ない範囲で回転可能である。【選択図】図１
2017027711.tif 000002
【特許請求の範囲】
【請求項１】
有底円筒状の非磁性材からなるシリンダと、
磁性体からなり、前記シリンダの内側に設けられたプランジャと、
前記シリンダの内側に設けられ、前記プランジャを前記シリンダの底部に向けて押す制動ばねと、
磁性体からなり、前記シリンダの開口部を塞ぐポールヘッドと、
前記シリンダに巻かれた電磁コイルと、
磁性体からなり、前記電磁コイルの外側に設けられ、前記シリンダの軸方向に沿って配置された第１片、及び前記第１片から前記シリンダの前記軸方向と交差する方向に沿って配置された第２片を有するヨークと、
磁性体からなり、前記ポールヘッドに接する第１位置と前記ポールヘッドから離れた第２位置との間で回転可能となるように前記ヨークに支持されたアマチュアと、
前記第１片に設けられて前記アマチュアの側方に配置された磁気遮蔽片と
を備え、
前記アマチュアは、側面視において前記磁気遮蔽片から前記シリンダの前記軸方向に出ない範囲で回転可能である
ことを特徴とする電磁引き外し装置。
【請求項２】
前記ヨークと前記磁気遮蔽片とが同一部材であり、一体に形成されている
ことを特徴とする請求項１に記載の電磁引き外し装置。
【請求項３】
前記ヨークと前記磁気遮蔽片とが異なる部材である
ことを特徴とする請求項１に記載の電磁引き外し装置。
【請求項４】
前記磁気遮蔽片の透磁率が、前記ヨークの透磁率よりも高い
ことを特徴とする請求項３に記載の電磁引き外し装置。
【請求項５】
請求項１〜４の何れか１項に記載の電磁引き外し装置を備えた
ことを特徴とする回路遮断器。
【発明の詳細な説明】
【技術分野】
【０００１】
本発明は、電磁引き外し装置及び回路遮断器に関し、より詳細には、電磁コイルを用いた電磁引き外し装置及び回路遮断器に関する。
【背景技術】
【０００２】
従来、電磁コイルを有する電磁装置を複数備え、電磁装置において電磁コイルの外周を、磁気遮蔽部材で形成したケースで被覆した回路遮断器が知られている（例えば特許文献１参照）。
【０００３】
特許文献１の電磁装置は、継鉄（ヨーク）と、オイルダッシュポットと、電磁コイルと、ケースと、可動鉄片（アマチュア）とを有する。オイルダッシュポットの外周には電磁コイルが捲回され、電磁コイルの外周はケースで被覆されている。可動鉄片は、継鉄の側板の上端近傍に設けられている。可動鉄片は、オイルダッシュポットの上端に設けられた固定鉄片（ポールヘッド）に接触する水平姿勢と、固定鉄片から離れた傾斜姿勢とに起倒可能である。電磁コイルは主回路に接続されている。主回路に過電流が発生すると、電磁コイルに電流が流れて励磁され、固定鉄片が可動鉄片を水平姿勢側に吸引する。可動鉄片が固定鉄片に吸引されると可動鉄片がトリップバーを動作させ、トリップバーに連動した開閉機構により主回路を遮断する。
【０００４】
ケースは、主回路に過電流が発生した際に、隣接極の電磁コイルの磁界を遮蔽する。特許文献１の回路遮断器では、隣接する電磁コイル間にケースを介在させることにより、隣接する電磁コイルから発生する磁界による相互影響を小さくしている。
【先行技術文献】
【特許文献】
【０００５】
【特許文献１】特開２００２−２５１９４９号公報
【発明の概要】
【発明が解決しようとする課題】
【０００６】
特許文献１におけるケースは、電磁コイルに電流が流れた際に、隣接する電磁コイルから発生する磁界による相互影響を小さくするが、固定鉄片（ポールヘッド）と可動鉄片（アマチュア）との間の漏れ磁束を抑制できない可能性があった。
【０００７】
本発明は、上記事由に鑑みてなされ、ポールヘッドとアマチュアとの間から漏れる磁束を抑制可能な電磁引き外し装置及びそれを用いた回路遮断器を提供することを目的とする。
【課題を解決するための手段】
【０００８】
本発明の電磁引き外し装置は、有底円筒状の非磁性材からなるシリンダと、磁性体からなり、前記シリンダの内側に設けられたプランジャと、前記シリンダの内側に設けられ、前記プランジャを前記シリンダの底部に向けて押す制動ばねと、磁性体からなり、前記シリンダの開口部を塞ぐポールヘッドと、前記シリンダに巻かれた電磁コイルと、磁性体からなり、前記電磁コイルの外側に設けられ、前記シリンダの軸方向に沿って配置された第１片、及び前記第１片から前記シリンダの前記軸方向と交差する方向に沿って配置された第２片を有するヨークと、磁性体からなり、前記ポールヘッドに接する第１位置と前記ポールヘッドから離れた第２位置との間で回転可能となるように前記ヨークに支持されたアマチュアと、前記第１片に設けられて前記アマチュアの側方に配置された磁気遮蔽片とを備え、前記アマチュアは、側面視において前記磁気遮蔽片から前記シリンダの前記軸方向に出ない範囲で回転可能であることを特徴とする。
【０００９】
本発明の回路遮断器は、上記した電磁引き外し装置を備えたことを特徴とする。
【発明の効果】
【００１０】
本発明の電磁引き外し装置は、ポールヘッドとアマチュアとの間から漏れる磁束を抑制可能である。
【００１１】
本発明の回路遮断器は、ポールヘッドとアマチュアとの間から漏れる磁束を抑制可能である。
【図面の簡単な説明】
【００１２】
【図１】本発明の一実施形態に係る電磁引き外し装置１００の断面図である。
【図２】低過電流領域の場合の同実施形態に係る電磁引き外し装置１００の動作を説明するための断面図である。
【図３】低過電流領域の場合の同実施形態に係る電磁引き外し装置１００の動作を説明するための別の断面図である。
【図４】始動電流領域の場合の同実施形態に係る電磁引き外し装置１００の動作を説明するための断面図である。
【図５】短絡電流領域の場合の同実施形態に係る電磁引き外し装置１００の動作を説明するための断面図である。
【図６】同実施形態に係る電磁引き外し装置１００の斜視図である。
【図７】同実施形態に係る電磁引き外し装置１００を備えた回路遮断器１０の要部拡大図である。
【図８】同実施形態に係る電磁引き外し装置１００を備えた回路遮断器１０の断面図である。
【発明を実施するための形態】
【００１３】
以下、本発明の一実施形態に係る電磁引き外し装置１００について、図１〜図６を用いて説明する。
【００１４】
＜構成＞
図１は、本実施形態に係る電磁引き外し装置１００の基本構成図である。電磁引き外し装置１００は、シリンダ１と、プランジャ２と、制動ばね３と、ポールヘッド４と、電磁コイル５と、ヨーク６と、アマチュア７と、磁気遮蔽片９とを備える。
【００１５】
シリンダ１は、非磁性材（例えば真鍮など）からなり、有底円筒状に形成されている。シリンダ１の内側には、プランジャ２と、制動ばね３とが配置されている。シリンダ１の開口部は、ポールヘッド４で塞がれている。制動ばね３は、コイルばねである。以下の説明では、シリンダ１の開口部側を前端側と呼び、シリンダ１の底部側を後端側と呼ぶ。
【００１６】
プランジャ２は、磁性体からなり、シリンダ１の内側に設けられている。プランジャ２は断面が略円形である略軸対称形状である。プランジャ２は、制動ばね３の内径より径が細い円柱状の突出部２ａと、制動ばね３の一端が接触する円柱状の太径部２ｂとからなる。太径部２ｂの径は、制動ばね３の内径より大きい。突出部２ａは、制動ばね３の内側に入り込む構成になっている。制動ばね３は、シリンダ１の内側に設けられ、プランジャ２をシリンダ１の底部に向けて押す。
【００１７】
ポールヘッド４は、磁性体からなり、シリンダ１の開口部を塞いでいる。プランジャ２と制動ばね３は、シリンダ１とポールヘッド４とが囲む空間に収納される。シリンダ１とポールヘッド４とが囲む空間は、密閉状態であり、例えばシリコーンオイルなどの液体が充填されているが、液体が充填されていない構成でもよい。なお、図２〜図５では、構成を理解し易くするため、制動ばね３の図示を省略している。
【００１８】
ヨーク６は、略Ｌ字型の磁性材からなる。ヨーク６は、電磁コイル５の外側に設けられ、シリンダ１の軸方向に沿って配置された第１片６ａと、第１片６ａからシリンダ１の軸方向と交差する方向に沿って配置された第２片６ｂとを有している。第２片６ｂは、第１片６ａの後端からプランジャ２側に向かって延びており、シリンダ１に固定されている。第１片６ａは、シリンダ１の軸に対して平行に配置されているのが好ましい。第２片６ｂは、第２片６ｂの後端からシリンダ１の軸に対して直交する方向に延びているのが好ましい。なお、ヨーク６は、後述するようにプランジャ２と磁路を形成するように配置されていればよく、必ずしもシリンダ１と固定されてなくてもよい。
【００１９】
電磁コイル５は、シリンダ１に巻かれている。電磁コイル５は、プランジャ２とヨーク６との間に挟まれる位置に配置されている。
【００２０】
また、電磁コイル５は、回路遮断器１０（図８参照）の主電路１１に電気的に接続されている。本実施形態では、電磁コイル５と主電路１１とは別部材であって電気的に接続されているが、これに限らず、電磁コイル５と主電路１１とが同一部材で一体構成されていてもよい。
【００２１】
アマチュア７は、磁性材からなる。アマチュア７は、ポールヘッド４側へ回転運動できるような形で、ヨーク６の第１片６ａに接続されている。言い換えれば、アマチュア７は、ポールヘッド４に接する第１位置とポールヘッド４から離れた第２位置との間で回転可能となるようにヨーク６に支持されている。アマチュア７の第２位置とは、図１に示すように、アマチュア７におけるヨーク６に支持されている部位と反対の先端部分が、ポールヘッド４から離れた状態の位置である。アマチュア７におけるヨーク６に支持されている部位と反対の先端部分は、コイルばね７１（図８参照）によってポールヘッド４から離れる方向にばね力を受けている。アマチュア７の第１位置とは、図３〜図５に示すように、アマチュア７におけるヨーク６に支持されている部位と反対の先端部分が、ポールヘッド４に接した状態の位置である。第１の位置にあるアマチュア７は、コイルばねから受けるばね力を上回る吸引力でポールヘッド４に吸引されている。
【００２２】
アマチュア７は、側面視において磁気遮蔽片９からシリンダ１の軸方向に出ない範囲で回転可能である。
【００２３】
磁気遮蔽片９は、第１片６ａに設けられてアマチュア７の側方に配置されている。磁気遮蔽片９は、ヨーク６の第１片６ａと同一部材で矩形板状に形成されている。磁気遮蔽片９は、第１片６ａにおけるポールヘッド４に近い部位であって、かつ第１片６ａにおけるシリンダ１の軸方向に沿う縁部分に、第１片６ａと一体に設けられている。磁気遮蔽片９は、アマチュア７が第１位置及び第２位置の何れの位置にあっても、側面視においてアマチュア７がシリンダ１の軸方向にはみ出さない大きさに形成されている。
【００２４】
「側面視」とは、シリンダ１の軸方向と直交し、かつ磁気遮蔽片９の厚さ方向に沿った方向から見て、を意味する。
【００２５】
回路遮断器１０は、図７に示すように、３個の電磁引き外し装置１００を備えている。本実施形態ではそれぞれの電磁引き外し装置１００を区別して説明する場合、電磁引き外し装置１０１〜１０３と呼ぶ。電磁引き外し装置１０１〜１０３の各々を区別しない場合には、電磁引き外し装置１０１〜１０３を電磁引き外し装置１００と呼ぶ。
【００２６】
本実施形態の回路遮断器１０は、図８に示すように、ラッチ５０と、トリップ機構５１と、ハンドル５２と、接点５３とを備える。回路遮断器１０における３個の電磁引き外し装置１００は、それぞれのシリンダ１の軸方向が互いに平行であって、かつシリンダ１の軸方向と直交する方向に並べて配置されている。ハンドル５２が操作された場合又はアマチュア７によってラッチ５０が押された場合にトリップ機構５１が動作して接点５３が開極し、回路遮断器１０は接点５３に電気的に接続されている電路を電気的に開放する。一例として、本実施形態の回路遮断器１０の電磁引き外し装置１０１〜１０３はそれぞれ、三相三線式の配電方式の電路に電気的に接続されている。
【００２７】
＜動作＞
以下、電磁コイル５に流れる電流が低過電流領域の場合における本実施形態に係る電磁引き外し装置１００の動作を図１〜図３に基づいて説明する。低過電流領域の電流とは、例えば電磁引き外し装置１００の定格電流の１．２５倍〜２倍程度の電流である。
【００２８】
電磁コイル５に電流が流れると、磁束が形成される。磁束は、ポールヘッド４とアマチュア７とヨーク６とプランジャ２とによって形成される磁路を通過する。図１に示すように、ポールヘッド４とプランジャ２の突出部２ａとの間にはギャップが形成されているので、ポールヘッド４とプランジャ２との間には磁気吸引力が働く。すなわち、プランジャ２には、ポールヘッド４側に移動する方向の力が働く。
【００２９】
プランジャ２に働く磁気吸引力が、制動ばね３がプランジャ２を押す力より大きくなると、プランジャ２はポールヘッド４側に移動し始める。プランジャ２の移動に伴い、ポールヘッド４とプランジャ２（突出部２ａ）との間のギャップ長は小さくなる。ギャップ長が小さくなれば、ポールヘッド４とアマチュア７とヨーク６とプランジャ２とによって形成される磁気回路の抵抗は小さくなるので、磁束は大きくなる。
【００３０】
磁束が大きくなることで、さらにプランジャ２に働く磁気吸引力が大きくなり、ポールヘッド４とプランジャ２との間のギャップ長がさらに小さくなる。以上の繰り返しによりギャップ長は徐々に小さくなっていき、磁束は徐々に大きくなっていく。低過電流領域の場合は、図２に示すように、プランジャ２の突出部２ａがポールヘッド４に近接するか又はポールヘッド４に接する位置に達すると、アマチュア７に対してポールヘッド４側に向かう大きな吸引力が働く。アマチュア７は、ヨーク６に支持されている部位を軸としてポールヘッド４に向かって回転し、図３に示すように、ポールヘッド４に接する第１位置に移動する。そして、アマチュア７が第１位置に移動する際に、回路遮断器１０の機構部のラッチ５０（図８参照）を押す。ラッチ５０がアマチュア７に押されると、トリップ機構５１が動作して接点５３が開極する。つまり回路遮断器１０は通電している電路を電気的に開放する。
【００３１】
次に、電磁コイル５に流れる電流が始動電流領域の場合における本実施形態に係る電磁引き外し装置１００の動作を図４に基づいて説明する。始動電流領域の電流とは、例えば電磁引き外し装置１００の定格電流の６倍〜８倍程度の電流である。
【００３２】
電磁コイル５に電流が流れると、磁束が形成される。磁束は、ポールヘッド４とアマチュア７とヨーク６とプランジャ２とによって形成される磁路を通過する。ポールヘッド４とプランジャ２との間、及びアマチュア７とポールヘッド４との間には、それぞれギャップが形成されている。したがって、電磁コイル５に電流が流れると、磁気吸引力により、プランジャ２及びアマチュア７には、ポールヘッド４側に移動する方向の力が働く。
【００３３】
低過電流領域の場合に比べ、始動電流領域の場合は、電磁コイル５に流れる電流が大きいので、より大きな磁束が得られる。したがって、ポールヘッド４とプランジャ２との間のギャップ長がある程度小さくなれば、アマチュア７はポールヘッド４側に移動し始める。始動電流領域の場合、ポールヘッド４とプランジャ２との間のギャップ長が、無通電の場合のギャップ長の約７０％になった場合（図４参照）、アマチュア７は、第１位置から回転して第２位置に移動する。そして、アマチュア７は、回路遮断器１０の機構部のラッチ５０を押す。
【００３４】
次に、電磁コイル５に流れる電流が短絡電流領域の場合における本実施形態に係る電磁引き外し装置１００の動作を図５に基づいて説明する。短絡電流領域の電流とは、例えば定格電流の８倍より大きい電流である。
【００３５】
電磁コイル５に流れる電流が短絡電流領域の場合は、定格電流の８倍より大きい電流であるため、ポールヘッド４とプランジャ２との間のギャップ長が小さくならなくとも大きな磁束が得られる。そのためプランジャ２がほぼ移動していない状態でも、アマチュア７は第１位置から回転して第２位置に移動する。つまり定格電流に対して十分大きい電流が電磁コイル５に流れ始めてから比較的短い時間でアマチュア７は第１位置から回転して第２位置に移動する。したがって、電磁コイル５に流れる電流が短絡電流領域の場合は、図５に示すように、プランジャ２がシリンダ１の底側からほぼ移動していない状態でもアマチュア７が第２位置に移動した状態になっている。
【００３６】
電磁コイル５に流れる電流が短絡電流領域の場合は、ポールヘッド４とプランジャ２との間のギャップ長が小さくならなくとも大きな磁束が得られ、通電開始から比較的短い時間で、アマチュア７は回転移動し、ポールヘッド４側に吸着される。一方、プランジャ２は、シリンダ１の内側に存在する流体の粘性の影響で、アマチュア７ほど短い時間では動作することはできない。したがって、アマチュア７が回転移動し、ポールヘッド４側に吸着されたときには、プランジャ２は、図５に示すように、まだシリンダ１の底側に停留している状態になっている。
【００３７】
＜作用＞
以下、本実施形態の磁気遮蔽片９の作用を図７に基づいて説明する。
【００３８】
電磁引き外し装置１０１〜１０３のそれぞれの電磁コイル５に電流が流れると、磁束が発生する。電磁引き外し装置１０１〜１０３は磁気遮蔽片９を有しているので、電磁引き外し装置１０１〜１０３で生じるそれぞれの磁束は、ポールヘッド４と、アマチュア７と、磁気遮蔽片９と、ヨーク６と、プランジャ２とによって形成される磁路Ｌ１〜Ｌ３を通過する。磁気遮蔽片９がポールヘッド４とアマチュア７との間に配置されていることにより、ポールヘッド４とアマチュア７との間の漏れ磁束を抑制している。
【００３９】
＜効果＞
以下、本実施形態の電磁引き外し装置１００の効果について比較例と比較して説明する。比較例の回路遮断器は、磁気遮蔽片９を有しない電磁引き外し装置である。
【００４０】
比較例の３個の電磁引き外し装置にそれぞれ極性の異なる電流が流れた場合、隣り合う電磁引き外し装置がそれぞれ発生させる磁束が互いに逆向きとなる。そのため、隣り合う電磁引き外し装置で生じた磁束が互いに弱めあう可能性がある。
【００４１】
一方、本実施形態の電磁引き外し装置１０１〜１０３は、磁気遮蔽片９を有している。磁気遮蔽片９は、ヨーク６の第１片６ａに設けられてアマチュア７の側方に配置されている。電磁引き外し装置１０１〜１０３で生じるそれぞれの磁束は、ポールヘッド４と、アマチュア７と、磁気遮蔽片９と、ヨーク６と、プランジャ２とによって形成される磁路Ｌ１〜Ｌ３を主に通過する。磁気遮蔽片９は、アマチュア７とポールヘッド４との間に磁路を形成するので、ポールヘッド４とアマチュア７との間の漏れ磁束を抑制している。そのため、プランジャ２の軸方向と直交する方向に隣り合って並んでいる電磁引き外し装置１０１〜１０３が、互いの磁束を弱めにくくなっている。電磁コイル５に流れる電流の大きさに応じて電磁コイル５に生じる磁束量が安定しやすくなるので、電磁コイル５に流れる電流の大きさに対するアマチュア７の動作特性を安定させることができる。例えば電磁コイル５に流れる電流の大きさに対してアマチュア７の回転移動するタイミングが遅れることを抑制できる。
【００４２】
また、アマチュア７とポールヘッド４との間から漏れる磁束を抑制することにより、ポールヘッド４とアマチュア７とヨーク６とプランジャ２とによって形成される磁路を通過する磁束量の減少が抑制される。そのため、電磁引き外し装置１００が１個の場合であっても、電磁コイル５に電流が流れた際に生じる磁束量が安定しやすくなり、電磁コイル５に流れる電流の大きさに対するアマチュア７の動作特性を安定させることができる。
【００４３】
以上説明したように、本実施形態の電磁引き外し装置１００は、シリンダ１と、プランジャ２と、制動ばね３と、ポールヘッド４と、電磁コイル５と、ヨーク６と、アマチュア７と、磁気遮蔽片９とを備える。シリンダ１は、有底円筒状の非磁性材からなる。プランジャ２は、磁性体からなり、シリンダ１の内側に設けられている。制動ばね３は、シリンダ１の内側に設けられ、プランジャ２をシリンダ１の底部に向けて押す。ポールヘッド４は、磁性体からなり、シリンダ１の開口部を塞いでいる。電磁コイル５は、シリンダ１に巻かれている。ヨーク６は、磁性体からなり、電磁コイル５の外側に設けられ、シリンダ１の軸方向に沿って配置された第１片６ａ、及び第１片６ａからシリンダ１の軸方向と交差する方向に沿って配置された第２片６ｂを有している。アマチュア７は、磁性体からなり、ポールヘッド４に接する第１位置とポールヘッド４から離れた第２位置との間で回転可能となるようにヨーク６に支持されている。磁気遮蔽片９は、第１片６ａに設けられてアマチュア７の側方に配置されている。アマチュア７は、側面視（本実施形態ではシリンダ１の軸方向と直交する方向かつヨーク６の第１片６ａの平面部分と平行する方向から見た場合）において磁気遮蔽片９からシリンダ１の軸方向に出ない範囲で回転可能である。
【００４４】
上記構成によれば、アマチュア７は、側面視（本実施形態ではシリンダ１の軸方向と直交する方向かつヨーク６の第１片６ａの平面部分と平行する方向から見た場合）において磁気遮蔽片９からシリンダ１の軸方向に出ない範囲で回転移動する。磁気遮蔽片９は、アマチュア７の側方に配置されていて、第２位置（ポールヘッド４と接していない位置）にあるアマチュア７とポールヘッド４との間に磁路を形成する。そのため磁気遮蔽片９は、アマチュア７とポールヘッド４との間の漏れ磁束を抑制する。言い換えると、電磁引き外し装置１００は、ポールヘッド４とアマチュア７との間の漏れ磁束を抑制することができる。
【００４５】
本実施形態の電磁引き外し装置１００において、ヨーク６と磁気遮蔽片９とが同一部材であり、一体に形成されていることが好ましい。
【００４６】
上記構成によれば、磁気遮蔽片９は、ヨーク６に設けられているので、電磁引き外し装置１００の部品点数の増加を抑制できる。磁気遮蔽片９がヨーク６に設けられることにより、電磁引き外し装置１００の組立工数を減らすことができる。
【００４７】
本実施形態の回路遮断器１０は、上記した電磁引き外し装置１００を備えている。
【００４８】
上記構成によれば、回路遮断器１０は、ポールヘッド４とアマチュア７との間の漏れ磁束を抑制可能である。
【００４９】
本実施形態の磁気遮蔽片９は、ヨーク６（第１片６ａ）に設けられているので、回路遮断器１０の部品点数の増加を抑制できる。磁気遮蔽片９がヨーク６に設けられることにより、回路遮断器１０の組立工数を減らすことができる。
【００５０】
なお、磁気遮蔽片９の材質は、ヨーク６と同じであるか否かは問わない。また、磁気遮蔽片９とヨーク６とが一体形成されている必要はなく、磁気遮蔽片９とヨーク６とは溶接などで接続されていてもよい。
【００５１】
本実施形態の磁気遮蔽片９は、側方から見てポールヘッド４の前面を含むポールヘッド４の一部と重なっているが、ポールヘッド４の一部と重なっていなくてもよい。磁気遮蔽片９は、側方から見てヨーク６から出ているアマチュア７と重なっているが、アマチュア７は、側方から見て磁気遮蔽片９から第１片６ａの厚さ方向に出ていてもよい。その場合であっても、磁気遮蔽片９は、ポールヘッド４とアマチュア７との漏れ磁束を抑制できる。
【００５２】
本実施形態の回路遮断器１０は、３個の電磁引き外し装置１００を備えているが、少なくとも１個の電磁引き外し装置１００を備えていればよい。例えば３系統の電路をそれぞれ電気的に切断する回路遮断器１０の場合、３個の電磁引き外し装置が必要であるが、本実施形態の電磁引き外し装置１００を２個備え、さらに磁気遮蔽片９を備えていない電磁引き外し装置を１個備えていてもよい。磁気遮蔽片９を備えていない電磁引き外し装置を、磁気遮蔽片９の隣に配置することにより、本実施形態の電磁引き外し装置１００と、磁気遮蔽片９を備えていない電磁引き外し装置とによる磁束の相互干渉を磁気遮蔽片９により抑制することが可能である。
【００５３】
電磁引き外し装置１００の定格電流に対する低過電流領域の電流の大きさと、始動電流領域の電流大きさと、短絡電流領域の電流の大きさとはそれぞれ、一例であり、上記した電流の大きさに限定される趣旨ではない。低過電流領域の電流、始動電流領域の電流、短絡電流領域の電流はそれぞれ、低過電流領域の電流、始動電流領域の電流、短絡電流領域の電流の順に電流の大きさが大きくなるような電流であればよい。
【００５４】
ところで、磁気遮蔽片９は、ヨーク６と異なる部材で形成されていてもよい。以下では、磁気遮蔽片９がヨーク６と別部材で形成され、かつヨーク６よりも高い透磁率が高い部材で形成された電磁引き外し装置１００を、本実施形態の変形例として説明する。
【００５５】
本変形例の電磁引き外し装置１００において、ヨーク６と磁気遮蔽片９とが異なる部材で形成されている。磁気遮蔽片９は、溶接又はかしめなどによってヨーク６に固定されている。ヨーク６と磁気遮蔽片９とが異なる部材で形成できることにより、ヨーク６と磁気遮蔽片９とを個別に形成することができる。そのため、ヨーク６及び磁気遮蔽片９が一体に形成される場合と比べて、ヨーク６及び磁気遮蔽片９の各々を任意の形状に形成しやすい。また、ヨーク６及び磁気遮蔽片９の各々を形成した後にヨーク６に対する磁気遮蔽片９の固定位置を決めることができるので、ヨーク６に対する磁気遮蔽片９の固定位置の自由度を上げることができる。
【００５６】
本変形例の磁気遮蔽片９は、ヨーク６の透磁率よりも高い材料で形成されている。磁気遮蔽片９の透磁率をヨーク６の透磁率よりも高くすることにより、ポールヘッド４とアマチュア７との間から漏れる磁束を磁気的に遮蔽する効果を高めることができる。
【００５７】
以上説明したように、本変形例の電磁引き外し装置１００において、ヨーク６と磁気遮蔽片９とが異なる部材である。
【００５８】
上記構成によれば、ヨーク６と磁気遮蔽片９とが異なる部材であるため、ヨーク６及び磁気遮蔽片９が一体に形成される場合と比べて、ヨーク６及び磁気遮蔽片９の各々を任意の形状に形成しやすい。
【００５９】
本実施形態ではヨーク６及び磁気遮蔽片９の各々を形成した後にヨーク６に対する磁気遮蔽片９の固定位置を決めることができるので、ヨーク６に対する磁気遮蔽片９の固定位置の自由度を上げることができる。
【００６０】
本変形例の電磁引き外し装置１００において、磁気遮蔽片９の透磁率が、ヨーク６の透磁率よりも高いことが好ましい。
【００６１】
上記構成によれば、磁気遮蔽片９の透磁率をヨーク６の透磁率よりも高くすることにより、ポールヘッド４とアマチュア７との間から漏れる磁束を磁気的に遮蔽する効果を高めることができる。
【００６２】
（結び）
以上のように、本発明における技術の例示として、実施形態を説明した。そのために、添付図面及び詳細な説明を提供した。
【００６３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６４】
また、上述の実施形態は、本発明における技術の例示であるから、特許請求の範囲又はその均等の範囲において種々の変更、置き換え、付加、省略などを行うことができる。
【符号の説明】
【００６５】
１  シリンダ
２  プランジャ
３  制動ばね
４  ポールヘッド
５  電磁コイル
６  ヨーク
６ａ  第１片
６ｂ  第２片
７  アマチュア
９  磁気遮蔽片
１０  回路遮断器
１００  電磁引き外し装置
【図１】
2017027711.tif 000003
【図２】
2017027711.tif 000004
【図３】
2017027711.tif 000005
【図４】
2017027711.tif 000006
【図５】
2017027711.tif 000007
【図６】
2017027711.tif 000008
【図７】
2017027711.tif 000009
【図８】
2017027711.tif 000010